(57)【要約】【課題】動画の再生途中における動画の内容に対するユーザの反応をサーバ側で把握することが可能な技術を提案する【解決手段】動画再生装置２０は、動画の再生中に、その動画の内容に対するユーザの反応を示す特定操作を検出し、特定操作が検出された時点の動画の再生時間を取得し、特定操作が検出されたことを示す検出通知を、動画の再生時間と対応付けてサーバ１０に送信する。【選択図】図１
2017028676.tif 000002
【特許請求の範囲】
【請求項１】
教育用の動画を予め記憶したサーバから前記動画の配信を受ける携帯型端末装置のコンピュータに、
前記動画を再生する再生機能と、
前記再生機能による前記動画の再生中に、当該携帯型端末装置がシェイクされたことを検出する検出機能と、
前記検出機能によりシェイクが検出された時点における前記動画内の再生位置を示す動画再生時間を取得する取得機能と、
前記取得機能により取得された動画再生時間と対応付ける質問データの入力をユーザから受け付ける受付機能と、
前記取得機能により取得された動画再生時間と前記受付機能により受け付けた質問データとを対応付けて前記サーバに送信する送信機能とを実現させるためのプログラム。
【請求項２】
請求項１に記載のプログラムにおいて、
前記検出機能によりシェイクが検出された各時点における前記動画の画像を動画再生時間順に表示するリスト表示機能を備え、
前記受付機能は、前記リスト表示機能による表示の中からいずれかの画像がユーザに選択されたことに応じて、当該画像に係る動画再生時間と対応付ける質問データの入力をユーザから受け付けることを特徴とするプログラム。
【請求項３】
請求項１に記載のプログラムにおいて、
前記再生機能は、前記検出機能によるシェイクの検出に伴って前記動画の再生を停止し、
前記受付機能は、前記再生機能により前記動画の再生が停止されたことに応じて、当該シェイクに係る動画再生時間と対応付ける質問データの入力をユーザから受け付けることを特徴とするプログラム。
【請求項４】
請求項１乃至請求項３のいずれか１項に記載のプログラムにおいて、
前記受付機能は、前記再生機能による前記動画の再生に用いる動画再生画面とは別の質問入力画面を呼び出して、当該質問入力画面にて質問データの入力を受け付けることを特徴とするプログラム。
【請求項５】
請求項４に記載のプログラムにおいて、
前記質問入力画面に、前記検出機能によりシェイクが検出された時点における前記動画の画像を表示することを特徴とするプログラム。
【請求項６】
請求項１乃至請求項５のいずれか１項に記載のプログラムにおいて、
前記送信機能は、前記取得機能により取得された動画再生時間と前記受付機能により受け付けた質問データと前記検出機能によりシェイクが検出された時点における前記動画の画像とを対応付けて前記サーバに送信することを特徴とするプログラム。
【請求項７】
請求項１乃至請求項６のいずれか１項に記載のプログラムにおいて、
前記サーバは、配信対象となる前記動画について、所定時間毎の画像を予め記憶しており、動画再生時間を指定した要求に応じて対応する画像を送信する機能を有し、
前記取得機能は、前記検出機能によりシェイクが検出された時点の動画再生時間を指定した要求を前記サーバに送信し、当該要求に応答して前記サーバから送信される画像を、前記検出機能によりシェイクが検出された時点における前記動画の画像として取得することを特徴とするプログラム。
【請求項８】
教育用の動画を予め記憶したサーバから前記動画の配信を受ける携帯型端末装置において、
前記動画を再生する再生手段と、
前記再生手段による前記動画の再生中に、当該携帯型端末装置がシェイクされたことを検出する検出手段と、
前記検出手段によりシェイクが検出された時点における前記動画内の再生位置を示す動画再生時間を取得する取得手段と、
前記取得手段により取得された動画再生時間と対応付ける質問データの入力をユーザから受け付ける受付手段と、
前記取得手段により取得された動画再生時間と前記受付手段により受け付けた質問データとを対応付けて前記サーバに送信する送信手段とを備えたことを特徴とする携帯型端末装置。
【発明の詳細な説明】
【技術分野】
【０００１】
本発明は、サーバから配信された動画を再生する動画再生装置及びプログラムに関する。
【背景技術】
【０００２】
従来、サーバがユーザ端末装置からの要求に応じた動画を配信し、ユーザ端末装置が配信された動画を受信して再生することで、動画をユーザに視聴させる動画配信サービスが提供されている。
動画配信サービスは、サーバからユーザに動画を提供する一方向のものが多く、ユーザが動画の感想をサーバに送信できる双方向のものもあるが、動画全体についての感想を送信する程度に留まっており、動画を視聴したユーザの反応を取得するための工夫が望まれている。
【０００３】
特に、講義動画を配信する映像教育サービスでは、生徒（ユーザ）は、講義動画の途中で分からない部分があっても、講義動画の視聴を終了した後で、分からなかった部分を特定する内容と質問の内容を含む質問文を入力する必要があり、非常に面倒であった。また、サービスの提供者（講義動画の配信者）においても、講義動画の中で生徒が分かりにくい部分を特定することができれば、以降における講義動画の作成に役立てることができるが、そのような仕組みはこれまで提供されていなかった。
【０００４】
例えば、特許文献１には、動画管理再生装置が、動画配信装置から通信ネットワークを介して第１の教育用動画データを保存し、第１の教育用動画データを通信ネットワークに接続されていないオフライン状態で再生し、オフライン状態での第１の教育用動画データの再生状況を視聴履歴情報として蓄積し、視聴履歴情報を通信ネットワークを介して動画配信装置に送信し、動画配信装置が、第１の教育用動画データに関するオフライン状態での視聴履歴情報の動画配信装置への送信を条件として、第１の教育用動画データに続く第２の教育用動画データの動画管理再生装置での再生を許可する学習システムが開示されている。
上記の技術では、動画単位で視聴者の視聴動向を把握できるが、動画内の一部についてのユーザの反応をサーバ側で把握することについては考慮されていない。
【先行技術文献】
【特許文献】
【０００５】
【特許文献１】特開２０１０−２８３４７７号公報
【発明の概要】
【発明が解決しようとする課題】
【０００６】
本発明は、上記のような従来の事情に鑑みて為されたものであり、動画の再生途中における動画の内容に対するユーザの反応をサーバ側で把握することが可能な技術を提案することを目的とする。
【課題を解決するための手段】
【０００７】
上記課題を解決するため、本発明の動画再生装置及びそのプログラムは、以下のような技術的特徴を有する。
（１）  サーバから配信される動画を再生する動画再生装置において、動画の再生中に、その動画の内容に対するユーザの反応を示す特定操作を検出する検出手段と、前記検出手段により前記特定操作が検出された時点の動画の再生時間を取得する取得手段と、前記検出手段により前記特定操作が検出されたことを示す検出通知を、前記取得手段により取得された動画の再生時間と対応付けて前記サーバに送信する送信手段と、を備えたことを特徴とする。
【０００８】
（２）  上記（１）に記載の動画再生装置において、前記動画再生装置は、携帯型端末装置であり、前記特定操作は、前記携帯型端末装置をシェイクする操作であることを特徴とする。
【０００９】
（３）  上記（１）又は（２）に記載の動画再生装置において、前記検出手段は、前記特定操作の強度を検出し、前記送信手段は、前記検出通知に、前記検出手段により検出された前記特定操作の強度を示す情報を対応付けて送信することを特徴とする。
【００１０】
（４）  上記（１）乃至（３）のいずれかに記載の動画再生装置において、前記取得手段は、前記検出手段により前記特定操作が検出された時点の動画の画像を更に取得し、前記動画再生装置は、前記検出手段により前記特定操作が検出される毎に前記取得手段により取得された動画の画像及び再生時間のリストを、ユーザによる選択が可能な形式で表示する表示手段と、前記表示手段により表示された中から選択されたリストについて、ユーザからデータの入力を受け付ける受付手段と、を更に備え、前記送信手段は、前記選択されたリストに係る前記検出通知に、前記受付手段により受け付けたデータを対応付けて送信することを特徴とする。
【００１１】
（５）  上記（４）に記載の動画再生装置において、前記送信手段は、前記選択されたリストに係る前記検出通知に、当該リストにおける動画の画像を対応付けて送信することを特徴とする。
【００１２】
（６）  上記（１）乃至（３）のいずれかに記載の動画再生装置において、前記検出手段により前記特定操作が検出されたことに応じて、ユーザからデータの入力を受け付ける受付手段を備え、前記送信手段は、前記検出通知に、前記受付手段により受け付けたデータを対応付けて送信することを特徴とする。
【００１３】
（７）  上記（６）に記載の動画再生装置において、前記取得手段は、前記検出手段により前記特定操作が検出された時点の動画の画像を更に取得し、前記送信手段は、前記検出通知に、前記受付手段により受け付けたデータ及び前記取得手段により取得された画像を対応付けて送信することを特徴とする。
【００１４】
（８）  上記（７）に記載の動画再生装置において、前記検出手段は、動画の非再生中でも前記特定操作と同じ作法の操作の検出を行い、前記受付手段は、動画の非再生中に前記特定操作と同じ作法の操作が検出されたことに応じて、ユーザからデータの入力を受け付けると共に画像の入力を受け付け、前記送信手段は、前記特定操作と同じ作法の操作が検出されたことを示す通知を、前記受付手段により受け付けたデータ及び画像と対応付けて送信することを特徴とする。
【００１５】
（９）  コンピュータに、サーバから配信される動画を再生する再生機能と、前記再生機能による動画の再生中に、その動画の内容に対するユーザの反応を示す特定操作を検出する検出機能と、前記検出機能により前記特定操作が検出された時点の動画の再生時間を取得する取得機能と、前記検出機能により前記特定操作が検出されたことを示す検出通知を、前記取得機能により取得された動画の再生時間と対応付けて前記サーバに送信する送信機能と、を実現させるためのプログラムである。
【発明の効果】
【００１６】
本発明によれば、動画の再生途中における動画の内容に対するユーザの反応をサーバ側で把握することが可能となる。
【図面の簡単な説明】
【００１７】
【図１】本発明の一実施形態に係る映像教育システムの概要を示す図である。
【図２】図１の映像教育システムの動画再生装置の処理フローの例を示す図である。
【図３】図１の映像教育システムの動画再生装置による動画再生画面の例を示す図である。
【図４】図１の映像教育システムの動画再生装置による特定操作一覧画面の例を示す図である。
【図５】図１の映像教育システムの動画再生装置による質問文入力画面の例を示す図である。
【図６】図１の映像教育システムの動画再生装置による質問文入力画面の他の例を示す図である。
【図７】図１の映像教育システムの動画再生装置の機能ブロックの例を示す図である。
【図８】携帯型端末装置がシェイクされた時点における動画の画像を取得する仕組みについて説明する図である。
【発明を実施するための形態】
【００１８】
本発明の一実施形態について、図面を参照して説明する。
図１には、本発明の一実施形態に係る映像教育システムの概要を示してある。
本例の映像教育システムは、講義動画を配信する配信サーバ１０と、サーバ１０から講義動画の配信を受けて再生する動画再生装置２０と、を備えている。
【００１９】
配信サーバ１０は、講義動画の配信業者が使用する装置であり、配信対象の講義動画について管理する講義動画ＤＢ、講義動画を視聴する生徒（ユーザ）について管理する生徒ＤＢ、講義動画の視聴結果について管理する視聴結果ＤＢ、などを備える。配信対象の講義動画は、予め作成（撮影）しておいたものであり、講義動画ＤＢに保持（記憶）されており、動画再生装置２０からの要求に応じて講義動画ＤＢから読み出して配信される。
配信サーバ１０は、１台の装置により構成してもよく、各機能を複数台の装置に分散して構成してもよい。
【００２０】
動画再生装置２０は、講義動画を視聴するユーザが使用するユーザ端末装置であり、有線又は無線により配信サーバ１０と通信可能な据置型や携帯型の各種端末装置を用いることができる。携帯型端末装置としては、モバイルＰＣ、タブレットＰＣ、携帯電話、スマートフォン等が挙げられる。
【００２１】
図２には、動画再生装置２０の処理フローの例を示してある。
動画再生装置２０は、ユーザが視聴を所望する講義動画を配信サーバ１０に要求し、これに応答して配信サーバ１０から配信される講義動画を受信する（Ｓ１）。
次に、配信サーバ１０から受信した講義動画の再生を開始する（Ｓ２）。
【００２２】
その後、講義動画の再生中において、その講義動画の内容に対するユーザの反応（本例では、講義内容の理解が不十分な旨）を示す特定操作の有無を監視する（Ｓ３）、
特定操作が検出された場合（Ｓ３；Ｙｅｓ）には、その時点の動画再生時間及び動画キャプチャ（動画画像）を取得し（Ｓ４）、取得した動画再生時間及び動画キャプチャを装置内部のメモリに記憶する（Ｓ５）。ここで、動画キャプチャは、動画中の或る時点の映像を撮影したスナップショット画像（静止画）である。
上記Ｓ３〜Ｓ５の処理を講義動画の再生が終了するまで繰り返す（Ｓ６）。
【００２３】
講義動画の再生が終了した場合（Ｓ６；Ｙｅｓ）には、講義動画の再生中に１回以上の特定操作が検出されていれば、蓄積した動画キャプチャ及び動画再生時間のリストを動画再生時間順に表示し（Ｓ７）、その中からユーザに選択された動画キャプチャに関する質問文の入力を受け付ける（Ｓ８）。
その後、特定操作の検出通知を、蓄積した動画再生時間の履歴、選択された動画キャプチャ、当該動画キャプチャに関する質問文と対応付けてサーバに送信する（Ｓ９）。
【００２４】
配信サーバ１０は、特定操作の検出通知を動画再生装置２０から受信すると、これに対応付けて送信された動画再生時間の履歴、選択された動画キャプチャ、当該動画キャプチャに関する質問文を視聴結果ＤＢに記憶する。これらの情報は、動画再生装置２０のユーザ（すなわち、講義動画を視聴した生徒）の識別情報と関連付けて記憶される。
【００２５】
視聴結果ＤＢに記憶された動画キャプチャ及び質問文は、担当の教師により閲覧される。担当の教師は質問文と共に動画キャプチャを閲覧できるので、講義動画内のどの内容についての質問なのかを把握し易い。担当の教師は、ユーザからの質問文に対し、塾や個別教室などのユーザと接する場で回答し、或いは電子メール等の通信手段で回答する。
また、視聴結果ＤＢに記憶された動画再生時間の履歴は、講義動画の中でユーザの理解が不十分な部分を特定する情報であるので、以降における講義動画の作成に役立てることができる。また、そのユーザと理解度が同程度の他のユーザがその後にどの講義動画を視聴しているのかを分析し、そのユーザに対して次に視聴を推薦する講義動画の選択に役立てることもできる。
【００２６】
図３には、動画再生装置２０による動画再生画面の例を示してある。
本例の動画再生画面は、動画再生領域３１内に特定操作ボタン３２を設けてあり、動画の再生中に特定操作ボタン３２がユーザに押下（クリック）されたことに応じて、特定操作ボタン３２の押下を特定操作として検出し、その時点の動画再生時間及び動画キャプチャを取得して装置内部のメモリに記憶する。
【００２７】
なお、動画再生装置２０として、装置に加わる加速度を検出する加速度センサ等の振動検出手段を備えた携帯型端末装置（例えば、スマートフォン）を用いる場合には、動画再生中に装置がシェイクされたことを振動検出手段で検出したことに応じて、装置のシェイクを特定操作と見做して検出し、その時点の動画再生時間及び動画キャプチャを取得して装置内部のメモリに記憶することもできる。この場合、装置のシェイクが特定操作として検出されたことをユーザが認識できるように、シェイクに基づく特定操作の検出時に特徴的な音を鳴らしたり、所定の検出マークを画面上に表示する等の報知を行うようにしてもよい。
【００２８】
図４には、動画再生装置２０による特定操作一覧画面の例を示してある。
本例の特定操作一覧画面は、動画の再生中に特定操作が検出される毎に取得された動画キャプチャの縮小画像（サムネイル）及び動画再生時間のリストを、動画再生時間順に、ユーザによる選択が可能な形式で表示する。ユーザによる選択は、リスト毎に設けた質問ボタン４１、削除ボタン４２、再生ボタン４３の押下（クリック）により行われる。
【００２９】
質問ボタン４１が押下された場合には、そのリストに係る質問文入力画面を表示し、質問文の入力を受け付ける。
削除ボタン４２が押下された場合には、そのリストを一覧表示の中から削除するとともに、装置内部のメモリから該当する動画再生時間及び動画キャプチャを削除する。これは、ユーザが間違って特定操作をした場合に、事後的に特定操作を取り消すものである。
再生ボタン４３が押下された場合には、その動画再生時間から所定時間を遡った時点を起点にして動画を再生し直す。これにより、ユーザは、例えば理解が不十分だった部分を見直すことができる。なお、動画を複数のセクションに分割しておき、再生ボタン４３が押下されたリストの動画再生時間を含むセクションの先頭から動画を再生し直すようにしてもよい。これにより、内容にまとまりがある部分単位で動画のセクション分けをしておけば、動画の途中からの見直し時にユーザは内容を理解し易くなる。
【００３０】
本例では、動画再生画面における動画の再生の終了後、自動的に特定操作一覧画面を表示するが、動画再生装置２０がユーザから特定操作一覧画面を表示させる指示を受けたことに応じて、特定操作一覧画面を表示してもよい。
【００３１】
また、特定操作一覧画面には、特定操作履歴送信ボタン（図示せず）を設けてあり、特定操作履歴送信ボタンがユーザに押下されたことに応じて、特定操作の検出通知を、動画再生時間の履歴と対応付けて配信サーバ１０に送信する。また、一覧表示したリストに係る質問文の入力があった場合には、その質問文及び該当する動画キャプチャも併せて配信サーバ１０に送信する。なお、特定操作履歴送信ボタンを設けず、特定操作一覧画面が閉じられたことに応じて、特定操作の検出通知を配信サーバ１０に送信するようにしてもよい。
【００３２】
図５には、動画再生装置２０による質問文入力画面の例を示してある。
本例の質問文入力画面は、動画キャプチャ表示領域５１、動画キャプチャ保存ボタン５２、質問文入力部５３、質問確定ボタン５４を有する。
動画キャプチャ表示領域５１には、特定操作一覧画面で選択されたリストに係る動画キャプチャがオリジナルのサイズで表示される。
動画キャプチャ保存ボタン５２は、動画キャプチャ表示領域５１に表示されている動画キャプチャの保存を指示するボタンである。動画キャプチャ保存ボタン５２が押下されると、該当する動画キャプチャを事後的に参照できるように装置内部のメモリの別領域に保存される。
【００３３】
質問文入力部５３は、動画キャプチャ表示領域５１に表示されている動画キャプチャ付近の動画の内容に関する質問文をユーザが入力する領域である。
質問確定ボタン５４は、質問文入力部５３に入力された質問文の確定を指示するボタンである。質問確定ボタン５４が押下されると、質問文入力部５３に入力された質問文が、該当する動画再生時間及び動画キャプチャに対応づけて装置内部のメモリに記憶され、質問文入力画面が閉じて特定操作一覧画面に戻る。
【００３４】
以上のように、本例の動画再生装置２０は、動画の再生中に、その動画の内容に対するユーザの反応を示す特定操作を検出し、特定操作が検出された時点の動画の再生時間を取得し、特定操作が検出されたことを示す検出通知を、動画の再生時間と対応付けてサーバ１０に送信する。このため、動画の再生途中における動画の内容に対するユーザの反応をサーバ側で把握することが可能となる。ここで、上記の例では、動画内容の理解が不十分な旨の反応を扱っているが、動画内容を十分に理解した旨の反応や、動画内容に共感した旨の反応など、種々の反応に適用することができる。
【００３５】
また、動画再生装置２０として携帯型端末装置を用いる場合には、携帯型端末装置をシェイクする操作を特定操作として検出する。このため、動画を視聴中のユーザが携帯型端末装置をシェイクするだけで、その時点の動画の内容にユーザが何らか反応を持ったことをサーバ側に通知することができる。ここで、携帯型端末装置のシェイクとは、ユーザが携帯型端末装置を手に持って振る操作だけでなく、携帯型端末装置を指先で叩いて振動を与える操作など、加速度センサ等の振動検出手段で携帯型端末装置が検出可能な種々のタイプの振動を発生させる操作を含む。
【００３６】
なお、特定操作の検出において、特定操作の強度も検出するようにし、特定操作の検出通知に対応付けてサーバ１０に送信するようにしてもよい。これにより、ユーザの反応の程度についてもサーバ側に通知することが可能となる。ここで、特定操作の強度としては、例えば、所定時間内の特定操作ボタン３２のクリック回数、所定時間内の動画再生装置２０のシェイク回数、動画再生装置２０のシェイクの勢い等の測定値や、これらの測定値を所定の基準に基づいて分類した分類値などを用いることができる。
【００３７】
また、本例の動画再生装置２０は、特定操作が検出された時点の動画の画像（動画キャプチャ）を取得しておき、特定操作が検出される毎に取得された動画の画像及び再生時間のリストをユーザによる選択が可能な形式で表示し、その中から選択されたリストについてユーザからデータの入力を受け付け、選択されたリストに係る検出通知に、入力されたデータを対応付けてサーバ１０に送信する。このため、ユーザは、動画の再生中に何らかの反応を持った部分についてデータを入力し、サーバ側に通知することが可能となる。なお、データの入力は、テキスト形式の入力のほか、音声入力などの種々の入力方式により行うことができる。また、データとしては、動画の内容に対する質問だけでなく、動画の内容に対する意見や感想などであってもよく、動画の内容に対する種々の情報を入力できる。
また、本例の動画再生装置２０は、選択されたリストに係る検出通知に、当該リストにおける動画の画像を対応付けてサーバ１０に送信する。このため、動画再生装置２０から受信したデータを見た者は、動画内のどの内容について入力されたデータなのかを把握し易くなる。
【００３８】
ここで、上記の説明では、動画の再生中に特定操作を検出してその履歴を蓄積しておき、動画の再生後にリスト形式で動画キャプチャと共にユーザに提示してデータの入力を受け付けているが、動画の再生中に特定操作が検出されたことに応じてデータの入力を受け付けても構わない。
【００３９】
すなわち、動画再生装置２０は、動画の再生中に特定操作が検出されたことに応じて、特定操作が検出された時点の動画の再生時間を取得すると共に、動画の再生を一旦停止して質問文入力画面を呼び出し、ユーザからデータの入力を受け付ける。そして、ユーザがデータの入力を終えると、動画再生装置２０は、特定操作が検出されたことを示す検出通知を、動画の再生時間及び入力されたデータと対応付けてサーバ１０に送信し、動画の再生を再開する。これにより、動画再生装置２０のユーザは、動画の視聴中に随時、データ（例えば、質問文）を入力してサーバ１０に送信することができる。
【００４０】
この場合においても、動画再生装置２０が、特定操作が検出された時点の動画の画像を取得して、検出通知に対応付けてサーバ１０に送信する構成とすれば、動画再生装置２０から受信した入力データを見た者（例えば、担当の教師）が、動画内のどの内容についての入力データなのかを把握し易くなる。また、サーバ１０には動画の再生時間も送信されるので、動画再生装置２０から受信した入力データを見る者に対し、特定操作が検出された時点から動画を再生して提供することもできる。なお、特定操作が検出された時点から所定時間を遡った時点を起点にして動画を再生するようにしたり、複数のセクションに分割された動画について、特定操作が検出された時点を含むセクションの先頭から動画を再生するようにしてもよい。
なお、携帯型端末装置に意図せずに振動が加えられる可能性を考慮して、シェイクが検出された場合に、動画の再生を一旦停止した後に直ちに質問文入力画面を呼び出すのではなく、質問文入力画面を呼び出してもよいか否かをユーザに問い合わせ、呼び出す旨の明確な指示があった場合に質問文入力画面を呼び出し、呼び出ししない旨（キャンセル）の指示があった場合には質問入力画面を呼び出さずに動画の再生を再開するようにしてもよい。また、質問入力画面を呼び出ししない旨（キャンセル）の指示があった場合には、特定操作の履歴として蓄積し、動画の再生後にリスト形式で動画キャプチャと共にユーザに提示してデータの入力を受け付けるようにしてもよい。
【００４１】
また、動画の再生中にのみ特定操作を検出するのではなく、動画の非再生中にも同じ作法の操作の検出を行って、データの入力を受け付けるようにしてもよい。すなわち、動画の再生中か否かに関わらずにシェイクの検出を行い、シェイクを検出した際に動画の再生中か否かに応じて、その後の処理内容を変更する。
【００４２】
具体的には、例えば、動画再生装置２０として携帯型端末装置を用い、携帯型端末装置をシェイクする操作を特定操作として検出する構成において、動画の非再生中でも特定操作と同じ作法の操作（シェイク）の検出を行い、動画の非再生中に携帯型端末装置のシェイクが検出されたことに応じて、ユーザからデータの入力を受け付けると共に、質問の対象となる問題などを含んだ画像の入力を受け付け、携帯型端末装置のシェイクが検出されたことを示す通知を、ユーザに入力されたデータ及び画像と共にサーバ１０に送信するようにする。
【００４３】
このような構成によれば、動画再生装置２０として携帯型端末装置を用いるユーザが、動画以外の対象（例えば、テキスト教材）に疑問がある場合などにおいて、携帯型端末装置をシェイクしてデータ（例えば質問文）及び画像の入力を受け付ける質問文入力画面を呼び出し、データ及び画像の入力を行うことで、シェイクの検出通知と共に入力データ及び画像をサーバ１０に送信できる。なお、画像の入力は、上記の入力画面から撮影アプリケーションを呼び出してその場で対象の撮影を行うことで入力してもよく、予め撮影しておいた対象の画像をメモリ内から指定して入力してもよい。また、対象物の画像としては、物理的な対象を撮影した画像に限られず、インターネットを通じて閲覧可能な各種サイトのスナップショット画像などの電子的な対象であってもよい。
【００４４】
図６には、動画の非再生中における動画再生装置２０による質問文入力画面の例を示してある。
本例の質問文入力画面は、教科選択部６１、画像入力部６２、質問文入力部６３、質問確定ボタン６４を有しており、動画の非再生中に特定操作と同じ作法の操作が検出されたことに応じて呼び出される。なお、携帯型端末装置に意図せずに振動が加えられる可能性を考慮して、シェイクが検出された場合に直ちに質問文入力画面を呼び出すのではなく、質問文入力画面を呼び出してもよいか否かをユーザに問い合わせ、呼び出す旨の明確な指示があった場合に質問文入力画面を呼び出すようにしてもよい。
【００４５】
教科選択部６１は、質問の対象となる教科の選択をユーザから受け付ける領域である。図６の例では、英語、数学、国語、理科、社会の５教科から選択できるようにしてあるが、これらは一例に過ぎず、種々の科目を選択できるようにすることができる。
画像入力部６２は、質問に関連する画像の入力をユーザから受け付ける領域である。本例では、画像入力部６２の領域がタッチされたことに応じて、予め撮影しておいた対象物の画像をメモリ内から指定して入力できるようにしてあるが、撮影アプリケーションを呼び出してその場で対象物の撮影を行わせるなど、他の手法により入力させてもよい。なお、画像を付さずとも内容を十分に理解できるような質問の場合を考慮して、画像の入力を省略できるようにしてもよい。
【００４６】
質問文入力部６３は、教科選択部６１により選択された教科についての質問文をユーザが入力する領域である。
質問確定ボタン６４は、質問文入力部６３に入力された質問文の確定を指示するボタンである。質問確定ボタン６４が押下されると、教科選択部６１で選択された教科、画像入力部６２に入力された画像、質問文入力部６３に入力された質問文の各情報が、携帯型端末装置のシェイクが検出されたことを示す通知（換言すれば、質問がある旨の通知）に対応付けてサーバ１０に送信される。
【００４７】
図７には、動画再生装置２０の機能ブロックの例を示してある。
動画再生装置２０は、動画再生処理部２１、特定操作検出処理部２２、質問情報入力処理部２３、検出通知送信処理部２４を有している。
動画再生処理部２１は、ユーザが視聴を所望する動画を配信サーバ１０に要求して受信する処理や、受信した動画を再生する処理など、動画の再生に関する種々の処理を行う。
特定操作検出処理部２２は、動画再生装置２０に対する特定操作を検出する処理や、その時点の動画の再生時刻や画像を取得する処理など、特定操作の検出に関する種々の処理を行う。
質問情報入力処理部２３は、動画の再生中に特定操作が検出された各時点の動画キャプチャの一覧を表示する処理や、キャプチャ単位で質問文の入力を受け付ける処理や、動画の再生とは無関係な特定操作に応じた質問文の入力を受け付ける処理など、質問情報の入力に関する種々の処理を行う。
検出通知送信処理部２４は、特定操作の検出通知をサーバ１０に送信する処理や、これに付随する情報（質問文や画像）を送信する処理など、検出通知の送信に関する種々の処理を行う。
【００４８】
ここで、本例の動画再生装置２０は、各種の演算処理を行うＣＰＵ（Ｃｅｎｔｒａｌ  Ｐｒｏｃｅｓｓｉｎｇ  Ｕｎｉｔ）、ＣＰＵの作業領域となるＲＡＭ（Ｒａｎｄｏｍ  Ａｃｃｅｓｓ  Ｍｅｍｏｒｙ）や基本的な制御プログラムなどを記録したＲＯＭ（Ｒｅａｄ  Ｏｎｌｙ  Ｍｅｍｏｒｙ）等の主記憶装置、各種のプログラムやデータを記憶する補助記憶装置、各種の情報を表示出力するための表示装置及び操作者により入力操作に用いられる操作ボタンやタッチパネル等の入力機器とのインタフェースである入出力Ｉ／Ｆ、他の装置との間で有線又は無線により通信を行うインタフェースである通信Ｉ／Ｆ、といったハードウェア資源を備えたコンピュータにより構成している。
そして、本発明に係るプログラムをコンピュータにより実行させることで、本発明に係る動画再生装置の各機能を当該コンピュータ上に実現させている。
【００４９】
なお、本発明は、上記のようなソフトウェア構成により各機能部を実現する態様に限定するものではなく、各機能部を専用のハードウェアモジュールで実現してもよい。
また、本発明に係るシステムや装置などの構成としては、必ずしも以上に示したものに限られず、種々な構成が用いられてもよい。
【００５０】
また、これまで説明した内容から、下記のようなプログラムの発明や、それに対応する携帯型端末装置の発明を把握することもできる。
（Ａ１）  教育用の動画を予め記憶したサーバから前記動画の配信を受ける携帯型端末装置のコンピュータに実行させるプログラムであって、前記動画を再生する再生機能と、前記再生機能による前記動画の再生中に、当該携帯型端末装置がシェイクされたことを検出する検出機能と、前記検出機能によりシェイクが検出された時点における前記動画内の再生位置を示す動画再生時間を取得する取得機能と、前記取得機能により取得された動画再生時間と対応付ける質問データの入力をユーザから受け付ける受付機能と、前記取得機能により取得された動画再生時間と前記受付機能により受け付けた質問データとを対応付けて前記サーバに送信する送信機能とを実現させることを特徴とする。
【００５１】
このような構成によれば、ユーザは、勉強したいと思った際に携帯型端末装置で教育用の動画（例えば、講義動画）を再生することで、いつでもどこでも勉強をすることができ、その際に動画内容に対する質問がある場合には、携帯型端末装置をシェイクするだけで質問を行えるようになる。したがって、教育用の動画を視聴するだけの一方的な勉強ではなく、動画内容に対して質問するという双方向の勉強を行えるようになる。
一方、動画の提供者側にとっては、動画のどの内容がユーザにとって分かりにくかったのかを把握できるだけでなく、どのような事項に疑問があるのかも具体的に把握できる。また、ユーザからの質問に対して回答することで疑問の解消に導くことができ、顧客満足度をより高めることが可能になる。
【００５２】
また、携帯型端末装置のボタン押下や画面タッチなどよりも簡便且つ直感的な操作である携帯型端末装置のシェイクを、ユーザが質問をしたいという意思表示と見做して検出することで、質問の対象となる動画部分（動画再生時間）をより正確に特定できる。これに対し、例えば、携帯型端末装置の画面の所定位置に対するタッチを検出する構成では、ユーザは携帯型端末装置を持つ手とは別の手でタッチすることが多いので、手を携帯型端末装置の画面に伸ばす際のタイムラグが発生するという問題や、タッチ位置の押し間違いが起きる場合があるという問題などが懸念される。このような問題は携帯型端末装置の操作が不慣れなユーザにおいて特に顕著となるが、本発明では、ユーザは携帯型端末装置をシェイクするだけでよいので、上記のような問題は解消される。
このように、本発明では、携帯型端末装置に対する入力操作となり得る各種の操作（ボタン押下、画面タッチ、シェイクなど）のうち、動画再生中のシェイクを質問入力の意思表示として検出する構成にすることで、動画を視聴して勉強するユーザの利便性を向上させている。
【００５３】
（Ａ２）  上記（Ａ１）に記載のプログラムにおいて、前記検出機能によりシェイクが検出された各時点における前記動画の画像を動画再生時間順に表示するリスト表示機能を備え、前記受付機能は、前記リスト表示機能による表示の中からいずれかの画像がユーザに選択されたことに応じて、当該画像に係る動画再生時間と対応付ける質問データの入力をユーザから受け付けることを特徴とする。
【００５４】
このような構成によれば、ユーザは、教育用の動画の視聴中に疑問を持った部分についての質問を、動画の視聴後に行えるようになる。しかも、シェイク時の動画の各画像を動画再生時間順にリスト表示するので、教育用の動画のどの部分に疑問を持ったのかを事後的に把握できると共に、質問の必要性を改めて検討し直すことができる。
【００５５】
（Ａ３）  上記（Ａ１）に記載のプログラムにおいて、前記再生機能は、前記検出機能によるシェイクの検出に伴って前記動画の再生を停止し、前記受付機能は、前記再生機能により前記動画の再生が停止されたことに応じて、当該シェイクに係る動画再生時間と対応付ける質問データの入力をユーザから受け付けることを特徴とする。
【００５６】
このような構成によれば、ユーザは、教育用の動画の視聴中に疑問を持った場合には、携帯型端末装置をシェイクするだけで、動画の再生を自動的に停止させて質問を行えるようになる。つまり、動画の再生の停止と質問入力への移行とが１回の操作（シェイク）だけで実現されるため、ユーザ操作を簡略化することができる。
【００５７】
（Ａ４）  上記（Ａ１）乃至（Ａ３）のいずれかに記載のプログラムにおいて、前記受付機能は、前記再生機能による前記動画の再生に用いる動画再生画面とは別の質問入力画面を呼び出して、当該質問入力画面にて質問データの入力を受け付けることを特徴とするプログラム。
【００５８】
このような構成によれば、動画再生時は、携帯型端末装置の表示領域全体に動画再生画面を表示し、質問入力時は、携帯型端末装置の表示領域全体に質問入力画面を表示することが可能となる。このように、動画再生画面と質問入力画面を別画面にすることで、画面サイズが小さい携帯型端末装置であっても、動画の見やすさと質問入力のしやすさとを両立することができる。
【００５９】
（Ａ５）  上記（Ａ４）に記載のプログラムにおいて、前記質問入力画面に、前記検出機能によりシェイクが検出された時点における前記動画の画像を表示することを特徴とする。
【００６０】
このような構成によれば、ユーザは、質問入力画面に表示された画像を見て、質問内容を考える際の参考にすることができる。なお、携帯型端末装置の画面サイズが小さい場合には、質問入力画面に表示する画像は縮小したものである方が望ましい。
【００６１】
（Ａ６）  上記（Ａ１）乃至（Ａ５）のいずれかに記載のプログラムにおいて、前記送信機能は、前記取得機能により取得された動画再生時間と前記受付機能により受け付けた質問データと前記検出機能によりシェイクが検出された時点における前記動画の画像とを対応付けて前記サーバに送信することを特徴とする。
【００６２】
このような構成によれば、ユーザからの質問に対する回答者は、その質問と対応付けて送信された画像を見ることで、教育用の動画におけるどの内容についての質問なのかを容易に把握できるようになり、回答作業の効率化を図ることができる。
【００６３】
ここで、携帯型端末装置がシェイクされた時点における動画の画像を取得する仕組みとして、下記（Ａ７）のような構成を採用することが望ましい。
（Ａ７）  上記（Ａ１）乃至（Ａ６）のいずれかに記載のプログラムにおいて、前記サーバは、配信対象となる前記動画について、所定時間毎の画像を予め記憶しており、動画再生時間を指定した要求に応じて対応する画像を送信する機能を有し、前記取得機能は、前記検出機能によりシェイクが検出された時点の動画再生時間を指定した要求を前記サーバに送信し、当該要求に応答して前記サーバから送信される画像を、前記検出機能によりシェイクが検出された時点における前記動画の画像として取得することを特徴とする。
【００６４】
以下、携帯型端末装置がシェイクされた時点における動画の画像を取得する仕組みについて、図６を参照して具体的に説明する。
配信サーバ１０は、配信対象となる動画のデータを講義動画ＤＢに記憶する。また、その動画の再生における所定時間毎（例えば１秒毎）の画像（動画キャプチャ）を予め取得し、その際の動画再生時間（動画内の再生位置を示す時間）を画像のデータに付して、動画のデータと対応付けて講義動画ＤＢに記憶しておく。
【００６５】
携帯型端末装置（動画再生装置２０の一例）は、携帯型端末装置のシェイクを検出したことに応じて、シェイクを検出した時点の動画再生時間を指定した画像要求メッセージを配信サーバ１０に送信する。
配信サーバ１０は、画像要求メッセージを受信すると、画像要求メッセージで指定された動画再生時間に対応する画像のデータを講義動画ＤＢから読み出して、その画像のデータを格納した画像応答メッセージを画像要求メッセージの送信元に送信する。指定された動画再生時間に対応する画像としては、指定された動画再生時間より前で且つ最も近い動画再生時間を付された画像が用いられる。なお、単純に、指定された動画再生時間に最も近い動画再生時間を付された画像のデータを用いてもよい。
画像要求メッセージを送信した携帯型端末装置は、その応答である画像応答メッセージを受信すると、画像応答メッセージから画像のデータを取り出して、シェイクが検出された時点における動画の画像として取り扱う。
【００６６】
このような構成によれば、シェイクの検出時点における教育用動画の画像を、携帯型端末装置のメモリ容量やＣＰＵ性能などに影響されずに取得できるようになる。また、シェイクの検出時点における教育用動画の画像を取得する際の、携帯型端末装置の処理負担も削減される。
なお、配信サーバが、画像要求メッセージを受信した際に、指定された動画再生時間の画像を動画から取得して送信する構成も考えられるが、動画から画像を取得する処理は或る程度の時間を要するのでその分の遅延が生じ、携帯型端末装置で画像を表示するまでに時間が掛かってしまう懸念がある。これに対し、配信サーバが所定時間毎の画像を予め取得して保持しておく構成とすることで、配信サーバは、画像要求メッセージを受信した際に、該当する画像を即時に携帯型端末装置へ送信できるようになる。
【００６７】
ここで、本例の配信サーバ１０は、所定時間毎の画像のデータにその際の動画再生時間を付して講義動画ＤＢに記憶しておき、画像要求メッセージで指定された動画再生時間に最も近い動画再生時間の画像を講義動画ＤＢから読み出して、携帯型端末装置に送信する構成となっているが、このような構成に限定するものではない。
すなわち、例えば、配信サーバ１０は、配信対象となる動画の全再生時間を予め定めた時間長（一定時間）の単位で複数の区間に区切り、区間毎に代表的な画像（例えば、区間の開始位置、中央位置、終了位置の画像など）を予め取得し、その画像のデータに区間情報（例えば、区間開始時間及び区間終了時間などの各区間を特定可能な情報）を付して、動画のデータと対応付けて講義動画ＤＢに記憶しておく。そして、画像要求メッセージで指定された動画再生時間を含む区間について予め取得した画像を、指定された動画再生時間に対応する画像として取得する構成としてもよい。
【００６８】
なお、上記の説明は、教育用の動画を再生する携帯型端末装置が、シェイクの検出時点の動画の画像を配信サーバから取得する構成について説明したものであるが、この仕組みは、教育用ではない任意の動画を再生する各種の動画再生装置が、動画の再生中にユーザに指定された時点の動画の画像を取得する場合にも利用することができる。
【産業上の利用可能性】
【００６９】
本発明により、動画の再生途中における動画の内容に対するユーザの反応をサーバ側で把握することが可能な動画再生装置を提供することができる。
【符号の説明】
【００７０】
１０：配信サーバ、  ２０：動画再生装置、
２１：動画再生処理部、  ２２：特定操作検出処理部、  ２３：質問情報入力処理部、  ２４：検出通知送信処理部
【図１】
2017028676.tif 000003
【図２】
2017028676.tif 000004
【図３】
2017028676.tif 000005
【図４】
2017028676.tif 000006
【図５】
2017028676.tif 000007
【図６】
2017028676.tif 000008
【図７】
2017028676.tif 000009
【図８】
2017028676.tif 000010
【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
教育用の動画を予め記憶したサーバから前記動画の配信を受ける携帯型端末装置のコンピュータに、
前記動画を再生する再生機能と、
前記再生機能による前記動画の再生中に、当該携帯型端末装置がシェイクされたことを検出する検出機能と、
前記検出機能によりシェイクが検出された時点における前記動画内の再生位置を示す動画再生時間を取得する取得機能と、
前記取得機能により取得された動画再生時間と対応付ける質問データの入力をユーザから受け付ける受付機能と、
前記取得機能により取得された動画再生時間と前記受付機能により受け付けた質問データとを対応付けて前記サーバに送信する送信機能とを実現させるためのプログラムであって、
前記検出機能により検出された複数回のシェイクに基づいて、各々のシェイクの時点における前記動画の画像を動画再生時間順に表示するリスト表示機能を前記コンピュータに更に実現し、
前記受付機能は、前記リスト表示機能による表示の中からいずれかの画像がユーザに選択されたことに応じて、当該画像に係る動画再生時間と対応付ける質問データの入力の受け付けに移行することを特徴とするプログラム。
【請求項２】
請求項１に記載のプログラムにおいて、
前記検出機能によりシェイクが検出される毎に、その時点で質問データを入力するか否かをユーザに問い合わせ、
質問データを入力する旨の指示があった場合には、前記受付機能による質問データの入力の受け付けに移行し、
質問データを入力しない旨の指示があった場合には、前記受付機能による質問データの入力の受け付けに移行せずに、前記シェイクが検出された時点で前記取得機能により取得された動画再生時間を履歴として蓄積し、
前記蓄積した履歴に基づいて前記リスト表示機能による表示が行われ、その表示の中からいずれかの画像がユーザに選択されたことに応じて、当該画像に係る動画再生時間と対応付ける質問データの入力の受け付けに移行することを特徴とするプログラム。
【請求項３】
請求項２に記載のプログラムにおいて、
前記再生機能は、前記検出機能によるシェイクの検出に伴って前記動画の再生を停止し、
前記動画の再生の停止後に、前記問い合わせを行い、
質問データを入力する旨の指示があった場合には、前記動画の再生を停止したまま、前記受付機能による質問データの入力の受け付けに移行し、
質問データを入力しない旨の指示があった場合には、前記受付機能による質問データの入力の受け付けに移行せずに、前記シェイクが検出された時点で前記取得機能により取得された動画再生時間を履歴として蓄積し、前記動画の再生を再開することを特徴とするプログラム。
【請求項４】
請求項１乃至請求項３のいずれか１項に記載のプログラムにおいて、
前記受付機能は、前記再生機能による前記動画の再生に用いる動画再生画面とは別の質問入力画面を呼び出して、当該質問入力画面にて質問データの入力を受け付けることを特徴とするプログラム。
【請求項５】
請求項４に記載のプログラムにおいて、
前記質問入力画面に、前記検出機能によりシェイクが検出された時点における前記動画の画像を表示することを特徴とするプログラム。
【請求項６】
請求項１乃至請求項５のいずれか１項に記載のプログラムにおいて、
前記送信機能は、前記取得機能により取得された動画再生時間と前記受付機能により受け付けた質問データと前記検出機能によりシェイクが検出された時点における前記動画の画像とを対応付けて前記サーバに送信することを特徴とするプログラム。
【請求項７】
請求項１乃至請求項６のいずれか１項に記載のプログラムにおいて、
前記サーバは、配信対象となる前記動画について、所定時間毎の画像を予め記憶しており、動画再生時間を指定した要求に応じて対応する画像を送信する機能を有し、
前記取得機能は、前記検出機能によりシェイクが検出された時点の動画再生時間を指定した要求を前記サーバに送信し、当該要求に応答して前記サーバから送信される画像を、前記検出機能によりシェイクが検出された時点における前記動画の画像として取得することを特徴とするプログラム。
【請求項８】
教育用の動画を予め記憶したサーバから前記動画の配信を受ける携帯型端末装置において、
前記動画を再生する再生手段と、
前記再生手段による前記動画の再生中に、当該携帯型端末装置がシェイクされたことを検出する検出手段と、
前記検出手段によりシェイクが検出された時点における前記動画内の再生位置を示す動画再生時間を取得する取得手段と、
前記取得手段により取得された動画再生時間と対応付ける質問データの入力をユーザから受け付ける受付手段と、
前記取得手段により取得された動画再生時間と前記受付手段により受け付けた質問データとを対応付けて前記サーバに送信する送信手段と、
前記検出手段により検出された複数回のシェイクに基づいて、各々のシェイクの時点における前記動画の画像を動画再生時間順に表示するリスト表示手段とを備え、
前記受付手段は、前記リスト表示手段による表示の中からいずれかの画像がユーザに選択されたことに応じて、当該画像に係る動画再生時間と対応付ける質問データの入力の受け付けに移行することを特徴とする携帯型端末装置。
【手続補正３】
【補正対象書類名】明細書
【補正対象項目名】０００７
【補正方法】変更
【補正の内容】
【０００７】
上記課題を解決するため、本発明の携帯型端末装置及びそのプログラムは、以下のような技術的特徴を有する。
（１）  教育用の動画を予め記憶したサーバから前記動画の配信を受ける携帯型端末装置のコンピュータに、前記動画を再生する再生機能と、前記再生機能による前記動画の再生中に、当該携帯型端末装置がシェイクされたことを検出する検出機能と、前記検出機能によりシェイクが検出された時点における前記動画内の再生位置を示す動画再生時間を取得する取得機能と、前記取得機能により取得された動画再生時間と対応付ける質問データの入力をユーザから受け付ける受付機能と、前記取得機能により取得された動画再生時間と前記受付機能により受け付けた質問データとを対応付けて前記サーバに送信する送信機能とを実現させるためのプログラムであって、前記検出機能により検出された複数回のシェイクに基づいて、各々のシェイクの時点における前記動画の画像を動画再生時間順に表示するリスト表示機能を前記コンピュータに更に実現し、前記受付機能は、前記リスト表示機能による表示の中からいずれかの画像がユーザに選択されたことに応じて、当該画像に係る動画再生時間と対応付ける質問データの入力の受け付けに移行することを特徴とするプログラムである。
【手続補正４】
【補正対象書類名】明細書
【補正対象項目名】０００８
【補正方法】変更
【補正の内容】
【０００８】
（２）  上記（１）に記載のプログラムにおいて、前記検出機能によりシェイクが検出される毎に、その時点で質問データを入力するか否かをユーザに問い合わせ、質問データを入力する旨の指示があった場合には、前記受付機能による質問データの入力の受け付けに移行し、質問データを入力しない旨の指示があった場合には、前記受付機能による質問データの入力の受け付けに移行せずに、前記シェイクが検出された時点で前記取得機能により取得された動画再生時間を履歴として蓄積し、前記蓄積した履歴に基づいて前記リスト表示機能による表示が行われ、その表示の中からいずれかの画像がユーザに選択されたことに応じて、当該画像に係る動画再生時間と対応付ける質問データの入力をユーザから受け付けることを特徴とするプログラムである。
【手続補正５】
【補正対象書類名】明細書
【補正対象項目名】０００９
【補正方法】変更
【補正の内容】
【０００９】
（３）  上記（２）に記載のプログラムにおいて、前記再生機能は、前記検出機能によるシェイクの検出に伴って前記動画の再生を停止し、前記動画の再生の停止後に、前記問い合わせを行い、質問データを入力する旨の指示があった場合には、前記動画の再生を停止したまま、前記受付機能による質問データの入力の受け付けに移行し、質問データを入力しない旨の指示があった場合には、前記受付機能による質問データの入力の受け付けに移行せずに、前記シェイクが検出された時点で前記取得機能により取得された動画再生時間を履歴として蓄積し、前記動画の再生を再開することを特徴とするプログラムである。
【手続補正６】
【補正対象書類名】明細書
【補正対象項目名】００１０
【補正方法】変更
【補正の内容】
【００１０】
（４）  上記（１）乃至（３）のいずれかに記載のプログラムにおいて、前記受付機能は、前記再生機能による前記動画の再生に用いる動画再生画面とは別の質問入力画面を呼び出して、当該質問入力画面にて質問データの入力を受け付けることを特徴とするプログラムである。
【手続補正７】
【補正対象書類名】明細書
【補正対象項目名】００１１
【補正方法】変更
【補正の内容】
【００１１】
（５）  上記（４）に記載のプログラムにおいて、前記質問入力画面に、前記検出機能によりシェイクが検出された時点における前記動画の画像を表示することを特徴とするプログラムである。
【手続補正８】
【補正対象書類名】明細書
【補正対象項目名】００１２
【補正方法】変更
【補正の内容】
【００１２】
（６）  上記（１）乃至（５）のいずれかに記載のプログラムにおいて、前記送信機能は、前記取得機能により取得された動画再生時間と前記受付機能により受け付けた質問データと前記検出機能によりシェイクが検出された時点における前記動画の画像とを対応付けて前記サーバに送信することを特徴とするプログラムである。
【手続補正９】
【補正対象書類名】明細書
【補正対象項目名】００１３
【補正方法】変更
【補正の内容】
【００１３】
（７）  上記（１）乃至（６）のいずれかに記載のプログラムにおいて、前記サーバは、配信対象となる前記動画について、所定時間毎の画像を予め記憶しており、動画再生時間を指定した要求に応じて対応する画像を送信する機能を有し、前記取得機能は、前記検出機能によりシェイクが検出された時点の動画再生時間を指定した要求を前記サーバに送信し、当該要求に応答して前記サーバから送信される画像を、前記検出機能によりシェイクが検出された時点における前記動画の画像として取得することを特徴とするプログラムである。
【手続補正１０】
【補正対象書類名】明細書
【補正対象項目名】００１４
【補正方法】変更
【補正の内容】
【００１４】
（８）  教育用の動画を予め記憶したサーバから前記動画の配信を受ける携帯型端末装置において、前記動画を再生する再生手段と、前記再生手段による前記動画の再生中に、当該携帯型端末装置がシェイクされたことを検出する検出手段と、前記検出手段によりシェイクが検出された時点における前記動画内の再生位置を示す動画再生時間を取得する取得手段と、前記取得手段により取得された動画再生時間と対応付ける質問データの入力をユーザから受け付ける受付手段と、前記取得手段により取得された動画再生時間と前記受付手段により受け付けた質問データとを対応付けて前記サーバに送信する送信手段と、前記検出手段により検出された複数回のシェイクに基づいて、各々のシェイクの時点における前記動画の画像を動画再生時間順に表示するリスト表示手段とを備え、前記受付手段は、前記リスト表示手段による表示の中からいずれかの画像がユーザに選択されたことに応じて、当該画像に係る動画再生時間と対応付ける質問データの入力の受け付けに移行することを特徴とする携帯型端末装置である。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
本発明によれば、動画を視聴するユーザの利便性を向上させることが可能となる。